(57)【要約】【課題】高精細な表示が可能な液晶表示装置を提供する。【解決手段】液晶パネルは、基本パネルと該基本パネルに連結される連結パネルとからなり、上記基本パネルの回路基板上には、上記ソース配線群に信号を出力するソース駆動ＩＣと、上記ゲート配線群に信号を出力するゲート駆動ＩＣとが設けられており、上記基本パネルおよび連結パネルのそれぞれの回路基板上に配設されたソース配線群が上記ソース駆動ＩＣに接続されているとともに、上記基本パネルおよび連結パネルのそれぞれの回路基板上に配設されたゲート配線群が上記ゲート駆動ＩＣに接続されており、上記基本パネルの回路基板にはソース駆動ＩＣおよびゲート駆動ＩＣのそれぞれに入力されるＩＣ駆動用信号が経由する配線板が接続されている。【選択図】  図１
2004157495.tif 000002
【特許請求の範囲】
【請求項１】
ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、
上記液晶パネルは、基本パネルと該基本パネルに連結される連結パネルとからなり、
上記基本パネルの回路基板上には、上記ソース配線群に信号を出力するソース駆動ＩＣと、上記ゲート配線群に信号を出力するゲート駆動ＩＣとが設けられており、上記基本パネルおよび連結パネルのそれぞれの回路基板上に配設されたソース配線群が上記ソース駆動ＩＣに接続されているとともに、上記基本パネルおよび連結パネルのそれぞれの回路基板上に配設されたゲート配線群が上記ゲート駆動ＩＣに接続されており、上記基本パネルの回路基板には、ソース駆動ＩＣおよびゲート駆動ＩＣのそれぞれに入力されるＩＣ駆動用信号が経由する配線板が接続されていることを特徴とする液晶表示装置。
【請求項２】
上記基本パネルの回路基板上に配設されたソース配線群は、上記連結パネルの回路基板上に配設されたソース配線群よりもソース配線の本数が多いことを特徴とする請求項１に記載の液晶表示装置。
【請求項３】
上記連結パネルは、フレキシブルプリント配線板を介して上記基本パネルに連結されていることを特徴とする請求項１または２に記載の液晶表示装置。
【請求項４】
上記連結パネルを複数有することを特徴とする請求項１、２または３のいずれか１項に記載の液晶表示装置。
【請求項５】
さらに上記連結パネルに子連結パネルが連結されており、該子連結パネルの回路基板上には該子連結パネルの回路基板上に配設されたゲート配線群に信号を出力する子ゲート駆動ＩＣが設けられており、上記子連結パネルの回路基板上に配設されたゲート配線群が上記子ゲート駆動ＩＣに接続されており、上記子連結パネルの回路基板には、子ゲート駆動ＩＣに入力されるＩＣ駆動用信号が経由する子配線板が接続されていることを特徴とする請求項４に記載の液晶表示装置。
【請求項６】
ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、
上記液晶パネルは、基本パネルと該基本パネルに連結される連結パネルとからなり、
上記基本パネルおよび連結パネルそれぞれの回路基板上に配設されたソース配線群は該ソース配線群に信号を出力するソース駆動ＩＣに接続され、上記基本パネルの回路基板上に配設されたゲート配線群Ａは該第１ゲート配線群Ａに信号を出力する第１ゲート駆動ＩＣに接続され、上記連結パネルの回路基板上に配設されたゲート配線群Ｂは該ゲート配線群Ｂに信号を出力する第２ゲート駆動ＩＣに接続され、
上記ソース駆動ＩＣおよび第１ゲート駆動ＩＣは基本パネルの回路基板上に設けられ、上記第２ゲート駆動ＩＣは連結パネルの回路基板上に設けられ、
上記基本パネルの回路基板には、上記ソース駆動ＩＣおよび第１ゲート駆動ＩＣのそれぞれに入力されるＩＣ駆動用信号が経由する第１配線板が接続され、上記連結パネルの回路基板には、上記第２ゲート駆動ＩＣに入力されるＩＣ駆動用信号が経由する第２配線板が接続されていることを特徴とする液晶表示装置。
【請求項７】
上記連結パネルを複数有するとともに、各々の連結パネルの回路基板上に第２ゲート駆動ＩＣが設けられているとともに各々の連結パネルの回路基板には、第２配線板が接続されており、連結パネルの回路基板上に配設されたゲート配線群Ｂは、そのゲート配線群Ｂを配設する回路基板上に設けられた第２ゲート駆動ＩＣに接続されていることを特徴とする請求項６に記載の液晶表示装置。
【請求項８】
基本パネルと連結パネル、あるいは連結パネルと連結パネルとがフレキシブルプリント配線板を介して連結されていることを特徴とする請求項７に記載の液晶表示装置。
【発明の詳細な説明】
【０００１】
【発明の属する技術分野】
本発明は液晶表示装置に関するものである。
【０００２】
【従来の技術】
携帯電話やパソコン等の表示画面に使用される液晶表示装置として、アクティブマトリクス型液晶表示装置が主流になっている。
【０００３】
アクティブマトリクス型液晶表示装置は、液晶パネルと、液晶パネルに光を照射するバックライトと、液晶パネルに表示信号を送るための液晶駆動用ＩＣとから構成されている。
【０００４】
上記液晶パネルは、回路基板と、透明な絶縁基板上に対向電極が形成された対向基板とが、液晶層を介して貼り合わされて構成されている。回路基板には、画素電極に表示信号を書き込むソース配線と書込みを制御するゲート配線とが互いに交差して配設されている。そして交差部ごとに、画素電極および該画素電極に信号を供給するためのＴＦＴ（薄膜トランジスタ）やＭＩＭ（金属−絶縁膜−金属）が形成されている。そしてこのような液晶パネルに、液晶駆動用ＩＣがフェイスダウンボンディングで実装されたプリント回路基板が接続されている。
【０００５】
ところで、近年では、情報表示部と着信表示部とで液晶表示を行なうクラムシェルタイプ（折りたたみ式）の携帯電話にみられるように、複数の液晶パネルで液晶表示を行なう電子機器の需要が高まっている。
【０００６】
従来、複数の液晶パネルで液晶表示を行なうには、液晶表示装置を複数用意し、これらを個別に駆動させることで液晶表示を行なっていた。しかしながら、この場合には以下に示す問題がある。
（１）複数の液晶表示装置を用いるため、材料面・実装面でコストアップにつながる。
（２）複数の液晶表示装置を別個に駆動するため、複雑な回路構成となり、液晶表示装置の複雑化を招く。また、液晶モジュールの小型化の障害となる。
（３）複数の液晶駆動用ＩＣが必要であるため、液晶表示装置を利用した製品の軽量化・スリム化の実現が困難となる。
【０００７】
このような問題を解決するために、１つの液晶駆動用ＩＣで複数の液晶パネルを駆動する液晶表示装置が提案されている（例えば、特許文献１参照）。
【０００８】
ここで、特許文献１に開示されている液晶表示装置について、図５を用いて説明する。
【０００９】
図５は、特許文献１に開示されている液晶表示装置１０１の構成を概略的に示す平面図である。同図に示すように、液晶表示装置１０１は、第１液晶パネル１０２と第２液晶パネル１０３とを有している。
【００１０】
第１液晶パネル１０２および第２液晶パネル１０３は、ぞれぞれ、第１回路基板１０４および第２回路基板１０５を有している。第１回路基板１０４および第２回路基板１０５には、それぞれ接続部１０６，１０７が設けられており、これら接続部１０６，１０７に第１中継用フレキシブル配線板１０８が接続されることで、第１液晶パネル１０２と第２液晶パネル１０３とが接続されている。また、第１回路基板１０４にはさらに接続部１０９が設けられており、該接続部１０９にフレキシブルプリント配線板１１０が接続されている。そしてフレキシブルプリント配線板１１０には、液晶駆動用ＩＣ１１１が実装されたプリント回路基板１１２が接続されている。
【００１１】
第１回路基板１０４には、ｎ本のソース配線群とｋ本のゲート配線群とが配設されており、これら配線群はフレキシブルプリント配線板１１０を介して液晶駆動用ＩＣ１１１に接続されている。
【００１２】
第２回路基板１０５には、ｎ本のソース配線群と（ｍ−ｋ）本のゲート配線群とが配設されており、これら配線群はフレキシブルプリント配線板１１０を介して液晶駆動用ＩＣ１１１に接続されている。このような構成の液晶表示装置１０１において、プリント回路基板１１２を介して液晶駆動用ＩＣ１１１にＩＣ駆動用信号を送ることで、ソース配線群およびゲート配線群を介して第１回路基板１０４や第２回路基板１０５に形成されている画素電極に表示信号を送り表示を行なっている。
【００１３】
【特許文献１】
特開２００１−０６７０４９号公報（公開日：平成１３年３月１６日）
【００１４】
【発明が解決しようとする課題】
ところで、上記特許文献１に開示されている液晶表示装置１０１において高精細な表示を実現するには、第１回路基板１０４や第２回路基板１０５に形成されている画素電極を増やす必要があり、そのためには、第１回路基板１０４や第２回路基板１０５に配設されるソース配線群やゲート配線群の配線数を増やさなければならない。
【００１５】
しかしながら、上記特許文献１に開示されている液晶表示装置１０１では、第１，第２液晶パネル１０２，１０３のパネル外形やモジュール外形の制約によって、プリント回路基板１１２の形状や、プリント回路基板１１２とフレキシブル配線板１１０との接続位置が制限される。そしてこのような制限が発生することで、プリント回路基板１１２に実装されている液晶駆動用ＩＣ１１１の接続ピッチ幅が制限されてしまう。そのため第１回路基板１０４や第２回路基板１０５に配設されるソース配線群やゲート配線群の配線の本数を増やしても、これらの配線が、接続ピッチ幅が制限されてしまうことで液晶駆動用ＩＣ１１１に接続されなくなってしまう。そしてこの結果、高精細な表示が行なえなくなってしまうという問題がある。
【００１６】
また、特許文献１に開示の液晶表示装置１０１の構成によれば、第１回路基板１０４とフレキシブル配線板１１０とを接続し、さらに該フレキシブル配線板１１０とプリント回路基板１１２とを接続しているため、多数の接続ピンが必要となるという問題もある。
【００１７】
本発明は、上記の問題に鑑みてなされたものであり、その目的は、高精細な表示を効率よく実現できる液晶表示装置を提供することにある。
【００１８】
【課題を解決するための手段】
本発明の液晶表示装置は、上記課題を解決するために、ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、上記液晶パネルは、基本パネルと該基本パネルに連結される連結パネルとからなり、上記基本パネルの回路基板上には、上記ソース配線群に信号を出力するソース駆動ＩＣと、上記ゲート配線群に信号を出力するゲート駆動ＩＣとが設けられており、上記基本パネルおよび連結パネルのそれぞれの回路基板上に配設されたソース配線群が上記ソース駆動ＩＣに接続されているとともに、上記基本パネルおよび連結パネルのそれぞれの回路基板上に配設されたゲート配線群が上記ゲート駆動ＩＣに接続されており、上記基本パネルの回路基板には、ソース駆動ＩＣおよびゲート駆動ＩＣのそれぞれに入力されるＩＣ駆動用信号が経由する配線板が接続されていることを特徴としている。
【００１９】
上記の構成によれば、基本パネルの回路基板上に配設されたソース配線群と連結パネルの回路基板上に配設されたソース配線群とは、基本パネルの回路基板上に設けられたソース駆動ＩＣに接続される。また基本パネルの回路基板上に配設されたゲート配線群と連結パネルの回路基板上に配設されたゲート配線群とは、基本パネルの回路基板上に設けられたゲート駆動ＩＣに接続される。これによれば、ソース駆動ＩＣとゲート駆動ＩＣとが基本パネル内に設けられているので、液晶パネルのパネル外形やモジュール外形の制約により、ソース駆動ＩＣやゲート駆動ＩＣの接続ピッチ幅が制限されることはない。したがって基本パネルや連結パネルの回路基板に配設されるソース配線群のソース配線の本数を増やしても、これらのソース配線はソース駆動ＩＣに効率よく接続される。また、基本パネルや連結パネルの回路基板に配設されるゲート配線群のゲート配線の本数を増やしても、これらのゲート配線はゲート駆動ＩＣに効率よく接続される。したがって、これによれば、ソース配線群やゲート配線群の配線の本数を増やすことで、駆動される画素電極を増やすことができる。したがって高精細な表示を実現することができる。
【００２０】
また上記の構成によれば、ソース駆動ＩＣおよびゲート駆動ＩＣのそれぞれが設けられている基本パネルの回路基板には、配線板だけが接続されている。これによれば接続箇所が減るので、その結果、接続ピン数を減らすことができる。
【００２１】
本発明の液晶表示装置は、上記課題を解決するために、上記基本パネルの回路基板上に配設されたソース配線群は、上記連結パネルの回路基板上に配設されたソース配線群よりもソース配線の本数が多いことを特徴としている。
【００２２】
上記の構成によれば、基本パネルの回路基板上に配設されたソース配線群のソース配線の本数を、連結パネルの回路基板上に配設されたソース配線群のソース配線の本数よりも多くすることで、基本パネルの回路基板上には、より多くのソース配線群のソース配線とゲート配線群のゲート配線との交差部が形成される。そして交差部が増えれば、基本パネルの回路基板上に形成される画素電極の数を増やすことができる。したがって、これによれば、連結パネル側よりも、基本パネル側でより高精細な表示を行なえる液晶表示装置を提供することができる。
【００２３】
本発明の液晶表示装置は、上記課題を解決するために、上記連結パネルは、フレキシブルプリント配線板を介して上記基本パネルに連結されていることを特徴としている。
【００２４】
上記の構成によれば、柔軟性のあるフレキシブルプリント配線板を介して連結パネルが基本パネルに連結されることで、フレキシブルプリント配線板を曲げて基本パネルと連結パネルとが表裏に配置される液晶表示装置を提供することができる。
【００２５】
本発明の液晶表示装置は、上記課題を解決するために、上記連結パネルを複数有することを特徴としている。
【００２６】
上記の構成によれば、連結パネルを複数有することで、複数の液晶パネルを用いて表示を行なえる液晶表示装置を提供することができる。
【００２７】
本発明の液晶表示装置は、上記課題を解決するために、さらに上記連結パネルに子連結パネルが連結されており、該子連結パネルの回路基板上には該子連結パネルの回路基板上に配設されたゲート配線群に信号を出力する子ゲート駆動ＩＣが設けられており、上記子連結パネルの回路基板上に配設されたゲート配線群が上記子ゲート駆動ＩＣに接続されており、上記子連結パネルの回路基板には、子ゲート駆動ＩＣに入力されるＩＣ駆動用信号が経由する子配線板が接続されていることを特徴としている。
【００２８】
液晶表示装置を構成する液晶パネルの枚数が増えると、ゲート駆動ＩＣに接続されるゲート配線の本数も多くなるため、これに伴いゲート駆動ＩＣの接続ピッチ幅が制限を受けることになる。これを防ぐために、連結パネルに子連結パネルを連結することで液晶パネルの枚数を増やせば、子連結パネルの回路基板上に設けられたゲート配線群は子ゲート駆動ＩＣに接続されるので、液晶パネルの枚数が増えても、ゲート駆動ＩＣに接続されるゲート配線の本数は増えることはない。これによれば、ゲート駆動ＩＣの接続ピッチ幅が、液晶パネルの枚数の増加によって制限を受けることがなくなる。
【００２９】
本発明の液晶表示装置は、上記課題を解決するために、ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、上記液晶パネルは、基本パネルと該基本パネルに連結される連結パネルとからなり、上記基本パネルおよび連結パネルそれぞれの回路基板上に配設されたソース配線群は該ソース配線群に信号を出力するソース駆動ＩＣに接続され、上記基本パネルの回路基板上に配設されたゲート配線群Ａは該第１ゲート配線群Ａに信号を出力する第１ゲート駆動ＩＣに接続され、上記連結パネルの回路基板上に配設されたゲート配線群Ｂは該ゲート配線群Ｂに信号を出力する第２ゲート駆動ＩＣに接続され、上記ソース駆動ＩＣおよび第１ゲート駆動ＩＣは基本パネルの回路基板上に設けられ、上記第２ゲート駆動ＩＣは連結パネルの回路基板上に設けられ、上記基本パネルの回路基板には、上記ソース駆動ＩＣおよび第１ゲート駆動ＩＣのそれぞれに入力されるＩＣ駆動用信号が経由する第１配線板が接続され、上記連結パネルの回路基板には、上記第２ゲート駆動ＩＣに入力されるＩＣ駆動用信号が経由する第２配線板が接続されていることを特徴としている。
【００３０】
上記の構成によれば、連結パネルの回路基板上に設けられたゲート配線群Ｂは、連結パネルの回路基板上に設けられた第２ゲート駆動ＩＣに接続される。これによれば、連結パネルの回路基板上に配設されたゲート配線群を基本パネルの回路基板上に配設する必要がなくなるので、基本パネルの額縁を縮小することができる。またゲート配線群Ｂと第２ゲート駆動ＩＣとの距離が短くなることで、ゲート配線群Ｂに出力される信号の電位の降下を防止できる。
【００３１】
また連結パネルの回路基板上に第２ゲート駆動ＩＣを設けることで、連結パネルの回路基板上に配設されるゲート配線の本数が制限されることがなくなる。したがって、連結パネルの回路基板上に配設されるゲート配線の本数を増やせば、連結パネルの回路基板上に形成される画素電極の数を減少させることなく、連結パネルの回路基板上に配設されるソース配線の本数を減らすことができる。
【００３２】
本発明の液晶表示装置は、上記課題を解決するために、上記連結パネルを複数有するとともに、各々の連結パネルの回路基板上に第２ゲート駆動ＩＣが設けられているとともに各々の連結パネルの回路基板には、第２配線板が接続されており、連結パネルの回路基板上に配設されたゲート配線群Ｂは、そのゲート配線群Ｂを配設する回路基板上に設けられた第２ゲート駆動ＩＣに接続されていることを特徴としている。
【００３３】
上記の構成によれば、液晶パネルの枚数の増加によってゲート配線群が増えても、基本パネルや、基本パネルの回路基板と連結パネルの回路基板とを連結している配線板を大きくする必要がなくなるので、液晶表示装置全体の外形サイズを最低限に抑えながら液晶パネルの枚数を増やすことができる。
【００３４】
本発明の液晶表示装置は、上記課題を解決するために、基本パネルと連結パネル、あるいは連結パネルと連結パネルとがフレキシブルプリント配線板を介して連結されている
【００３５】
【発明の実施の形態】
〔実施の形態１〕
本発明の実施の一形態について、図１〜図４に基づいて説明すれば以下のとおりである。なお、本実施の形態では、アクティブ素子にＴＦＴ（薄膜トランジスタ）素子を用いたマトリクス型液晶表示装置を例にするが、本発明は、ＭＩＭ（金属−絶縁膜−金属）素子等、他のアクティブ素子を用いた液晶表示装置にも適用できる。
【００３６】
図１は、本実施の形態にかかる液晶表示装置１の構成を概略的に示す平面図である。同図に示すように、液晶表示装置１は、主として、基本パネル２と、該基本パネル２に連結される１枚の液晶パネルからなる連結パネル３とを有し、これらが第１中継用フレキシブル配線板（以下、「第１フレキシブル配線板」という）３２を介して連結されることで構成されている。
【００３７】
基本パネル２、連結パネル３は、それぞれ、基本回路基板１２、連結回路基板１３と、透明な絶縁基板上に対向電極が形成された対向基板（図示せず）とが、液晶層を介して貼り合わされて構成されている。
【００３８】
基本パネル２、連結パネル３は、それぞれ、通常のパネル構成を有する。すなわち、基本回路基板１２および連結回路基板１３には、それぞれ、ソース配線群（データ配線群）のソース配線とゲート配線群（走査線群）のゲート配線とが互いに交差して配設されるとともに、交差部ごとに、画素電極（図示せず）、該画素電極に信号を供給するためのスイッチング素子としてのＴＦＴ（図示せず）が形成されている。基本回路基板１２、連結回路基板１３のそれぞれに配設されるソース配線群およびゲート配線群の配置については後述する。
【００３９】
基本回路基板１２には接続部６１，６２が設けられている。接続部６１は、基本回路基板１２の一端部に設けられており、接続部６２は、基本回路基板１２における接続部６１の反対側の一端部に設けられている。
【００４０】
接続部６１は、ソース（駆動）ＩＣ２１、ゲート（駆動）ＩＣ２２および液晶駆動用フレキシブル配線板（配線板）３１が接続される領域である。
【００４１】
接続部６２は、基本回路基板１２と連結回路基板１３とを接続する第１フレキシブル配線板３２が接続される領域である。
【００４２】
接続部６１では、ソースＩＣ２１およびゲートＩＣ２２がそれぞれフェイスダウンボンディング接続されているとともに、液晶駆動用フレキシブル配線板３１もまた、該接続部６１に接続されている。ソースＩＣ２１、ゲートＩＣ２２、および液晶駆動用フレキシブル配線板３１は、それぞれ、異方性導電膜を介して接続されている。
【００４３】
ソースＩＣ２１は、基本回路基板１２および連結回路基板１３のそれぞれに形成されたＴＦＴに、ソース配線群を介してデータ信号を供給するためのものである。
【００４４】
ゲートＩＣ２２は、基本回路基板１２および連結回路基板１３のそれぞれに形成されたＴＦＴに、ゲート配線群を介してアドレス信号（順次走査信号）を供給するためのものである。
【００４５】
液晶駆動用フレキシブル配線板３１は、基本パネル２の外部に設けられる制御装置（図示せず）から送られてくるＩＣ駆動用信号を、ソースＩＣ２１およびゲートＩＣ２２のそれぞれに入力する駆動用ＩＣ信号が通過する経路となり、この液晶駆動用フレキシブル配線板３１を介して、ソースＩＣ２１およびゲートＩＣ２２のそれぞれに信号が送られる。
【００４６】
なお、図１に示すように、液晶表示装置１では、接続部６１にソースＩＣ２１とゲートＩＣ２２とが並列するように接続されているが、これに限らず、接続部６１以外の基本回路基板１２上の領域にゲートＩＣ２２が接続されていてもよい。
【００４７】
連結回路基板１３には接続部６３が設けられている。接続部６３は、連結回路基板１３の一端部に設けられており、基本回路基板１２と連結回路基板１３とを接続する第１フレキシブル配線板３２が接続される領域である。接続部６２と接続部６３とに第１フレキシブル配線板３２が異方性導電膜を介して接続されている。これにより、基本パネル２と連結パネル３とが連結されている。
【００４８】
次に、基本回路基板１２、連結回路基板１３のそれぞれに配設されているソース配線群およびゲート配線群の配置について説明する。
【００４９】
本実施形態にかかる液晶表示装置１では、上述したように、基本回路基板１２および連結回路基板１３のそれぞれに、ソース配線群のソース配線とゲート配線群のゲート配線とが互いに交差して配設されている。
【００５０】
連結回路基板１３には、図１に示すようにソース配線群Ａ（ＳＡ１，ＳＡ２，…，ＳＡｎ）が配設されている（なお、図１では、図面の都合上、ソース配線群Ａの一部を示している）。
【００５１】
同図に示すように、連結回路基板１３に配設されているソース配線群Ａは、第１フレキシブル配線板３２を経由し、接続部６１に設けられたソースＩＣ２１に接続されている。
【００５２】
ゲート配線群は、基本回路基板１２および連結回路基板１３のそれぞれに配設されている。具体的には、基本回路基板１２に配設されている第１ゲート配線群（Ｇ１１，Ｇ１２，…，Ｇ１ｎ）は、基本回路基板１２に配設されているソース配線群Ａに交差して配設されている（なお、図１では、図面の都合上、第１ゲート配線群のうち一部を示している）。そして第１ゲート配線群は、接続部６１に設けられたゲートＩＣ２２に接続されている。
【００５３】
連結回路基板１３に配設されている第２ゲート配線群（Ｇ２１，Ｇ２２，…，Ｇ２ｎ）は、連結回路基板１３に配設されているソース配線群Ａに交差して配設されている（なお、図１では、図面の都合上、第２ゲート配線群のうち一部を示している）。そして第２ゲート配線群は、第１フレキシブル配線板３２を経由して、接続部６１に設けられたゲートＩＣ２２に接続されている。
【００５４】
このような構成の液晶表示装置１において表示を行なうには、液晶駆動用フレキシブル配線板３１を介して制御装置（図示せず）から送られてくるＩＣ駆動用信号をソースＩＣ２１およびゲートＩＣ２２のそれぞれに入力し、ソース配線群Ａおよび第１ゲート配線，第２ゲート配線を介して、表示用信号を画素電極に送ればよい。
【００５５】
以上のように、本実施の形態にかかる液晶表示装置１では、基本回路基板１２に配設されたソース配線群Ａは、基本回路基板１２における接続部６１に設けられたソースＩＣ２１に接続されているとともに、該基本回路基板１２に配設された第１ゲート配線は、基本回路基板１２における接続部６１に設けられたゲートＩＣ２２に接続されている。また、連結回路基板１３に配設されたソース配線群Ａは、基本回路基板１２における接続部６１に設けられたソースＩＣ２１に接続されているとともに、該連結回路基板１３に配設された第２ゲート配線群は、基本回路基板１２における接続部６１に設けられたゲートＩＣ２２に接続されている。
【００５６】
これによれば、ソースＩＣ２１とゲートＩＣ２２とが基本パネル２内に設けられているので、基本パネル２や連結パネル３のパネル外形やモジュール外形の制約により、ソースＩＣ２１やゲートＩＣ２２の接続ピッチ幅が制限されることはない。したがって、これによれば基本回路基板１２や連結回路基板１３に配設されるソース配線群Ａのソース配線の本数を増やしても、これらのソース配線はソースＩＣ２１に効率よく接続される。また、基本回路基板１２や連結回路基板１３に配設される第１，第２ゲート配線群のゲート配線の本数を増やしても、これらのゲート配線はゲートＩＣ２２に効率よく接続される。したがって、これによれば、ソース配線群Ａや第１，第２ゲート配線群の配線の本数を増やすことで、駆動される画素電極を増やすことができる。したがって、高精細な表示を実現することができる。
【００５７】
また液晶表示装置１では、ソースＩＣ２１およびゲートＩＣ２２のそれぞれが設けられている回路基板１２には、液晶駆動用フレキシブル配線板３１だけが接続されればよい。したがって、これによれば接続箇所が減るので、その結果接続ピンを減らすことができる。
【００５８】
本実施の他の形態にかかる液晶表示装置として、２枚の連結パネルが接続されてなる連結パネルを基本パネルに連結してなる液晶表示装置としてもよい。このような液晶表示装置について、図２に基づいて説明する。
【００５９】
図２は、本実施の他の形態にかかる液晶表示装置５の構成を概略的に示す平面図である。同図に示すように、液晶表示装置５は、主として、基本パネル６と、該基本パネル６に連結される２枚の連結パネル７，８からなる連結パネル９とを有し、これらが第１フレキシブル配線板３４を介して連結されることで構成されている。
【００６０】
基本パネル６、連結パネル７，８は、それぞれ、基本回路基板１６、連結回路基板１７，１８と、透明な絶縁基板上に対向電極が形成された対向基板（図示せず）とが、液晶層を介して貼り合わされて構成されている。
【００６１】
基本パネル６、連結パネル７，８も、上述した基本パネル２や連結パネル３と同様に、通常のパネル構成を有するものである。
【００６２】
基本回路基板１６には接続部６４，６５が設けられている。接続部６４は、基本回路基板１６の一端部に設けられており、接続部６５は、基本回路基板１６における接続部６４の反対側の一端部に設けられている。
【００６３】
接続部６４は、ソースＩＣ２３、ゲートＩＣ２４および液晶駆動用フレキシブル配線板３３が接続される領域である。
【００６４】
接続部６５は、基本回路基板１６と連結回路基板１７とを接続する第１フレキシブル配線板３４が接続される領域である。
【００６５】
接続部６４では、ソースＩＣ２３およびゲートＩＣ２４がそれぞれフェイスボンディング接続されているとともに、液晶駆動用フレキシブル配線板３３もまた、該接続部６４に接続されている。
【００６６】
ソースＩＣ２３、ゲートＩＣ２４、液晶駆動用フレキシブル配線板３３も、それぞれ、上述したソースＩＣ２１、ゲートＩＣ２２、液晶駆動用フレキシブル配線板３１と同様の機能を有するものとする。
【００６７】
連結パネル９は、２枚の連結パネル７，８が第２フレキシブル配線板３５を介して接続されることで構成されている。
【００６８】
上述したように、連結パネル７，８は、それぞれ、連結回路基板１７，１８を有している。連結回路基板１７には接続部６６，６７が設けられている。接続部６６は、連結回路基板１７の一端部に設けられており、基本回路基板１６と連結回路基板１７とを接続する第１フレキシブル配線板３４が接続される領域である。接続部６７は、連結回路基板１７における接続部６６の反対側の一端部に設けられている。接続部６７は、連結回路基板１７と連結回路基板１８とを接続する第２フレキシブル配線板３５が接続される領域である。
【００６９】
連結回路基板１８には接続部６８が設けられている。接続部６８は、連結回路基板１８と連結回路基板１７とを接続する第２フレキシブル配線板３５が接続される領域である。接続部６７と接続部６８とに第２フレキシブル配線板３５が異方性導電膜を介して接続されることで、連結パネル９は構成されている。そして接続部６５と接続部６６とに第１フレキシブル配線板３４が異方性導電膜を介して接続されることで、連結パネル９と基本パネル６とが連結されている。
【００７０】
次に、基本回路基板１６、連結回路基板１７，１８のそれぞれに配設されているソース配線群およびゲート配線群の配置について説明する。
【００７１】
本実施形態にかかる液晶表示装置５では、基本回路基板１６、連結回路基板１７，１８のそれぞれに、ソース配線群のソース配線とゲート配線群のゲート配線とが互いに交差して配設されている。具体的には、連結回路基板１８には、図２に示すようにソース配線群Ｂ（ＳＢ１，ＳＢ２，…，ＳＢｎ）が配設されている（なお、図２では、図面の都合上、ソース配線群Ｂの一部を示している）。同図に示すように、連結回路基板１８に配設されているソース配線群Ｂは、第２フレキシブル配線板３５、連結回路基板１７、第１フレキシブル配線板３４、基本回路基板１６を順に経由し、接続部６４に設けられたソースＩＣ２３に接続されている。
【００７２】
ゲート配線群は、基本回路基板１６および連結回路基板１７，１８のそれぞれに配設されている。具体的には、基本回路基板１６に配設されている第３ゲート配線群（Ｇ３１，Ｇ３２，…，Ｇ３ｎ）は、基本回路基板１６に配設されているソース配線群Ｂに交差して配設されている（なお、図２では、図面の都合上、第３ゲート配線群のうち一部を示している）。そして第３ゲート配線群は、接続部６４に設けられたゲートＩＣ２４に接続されている。
【００７３】
連結回路基板１７に配設されている第４ゲート配線群（Ｇ４１，Ｇ４２，…，Ｇ４ｎ）は、連結回路基板１７に配設されているソース配線群Ｂに交差して配設されている（なお、図２では、図面の都合上、第４ゲート配線群のうち一部を示している）。そして第４ゲート配線群は、第１フレキシブル配線板３４を経由して、接続部６４に設けられたゲートＩＣ２４に接続されている。
【００７４】
連結回路基板１８に配設されている第５ゲート配線群（Ｇ５１，Ｇ５２，…，Ｇ５ｎ）は、連結回路基板１８に配設されているソース配線群Ｂに交差して配設されている（なお、図２では、図面の都合上、第５ゲート配線群のうち一部を示している）。そして第５ゲート配線群は、第２フレキシブル配線板３５，連結回路基板１７，第１フレキシブル配線板３４，連結回路基板１６を順に経由して、接続部６４に設けられたゲートＩＣ２４に接続されている。
【００７５】
なお液晶表示装置５を用いて表示を行なうには、液晶表示装置１と同様に、フレキシブル配線板３３を介して制御装置（図示せず）から送られてくるＩＣ駆動用信号をソースＩＣ２３およびゲートＩＣ２４のそれぞれに入力し、ソース配線群Ｂおよび第３，４，５ゲート配線を介して、表示信号を画素電極に送ればよい。
【００７６】
このように２枚の連結パネル７，８からなる連結パネル９としても、ソースＩＣ２３およびゲートＩＣ２４とが基本パネル６内に設けられているため、基本パネル６や連結パネル９のパネル外形やモジュール外形の制約により、ソースＩＣ２３やゲートＩＣ２４の接続ピッチ幅が制限されることはない。これによれば、基本回路基板１６や連結回路基板１７，１８に配設されるソース配線群Ｂのソース配線の本数や、第３，４，５ゲート配線群のゲート配線の本数を増やして、より高精細な表示を実現することができる。
【００７７】
また図示しないが、連結パネルを構成する連結パネルの枚数を増やして、複数の連結パネルを有する連結パネルからなる液晶表示装置としても、液晶表示装置５と同様の効果が得られる。
【００７８】
また本実施の形態にかかるさらに他の液晶表示装置として、基本パネルの回路基板上に配設されるソース配線群のソース配線の本数のほうが、連結パネルの回路基板上に配設されるソース配線群のソース配線の本数よりも多くなるように設定してもよい。このような液晶表示装置について、図４に基づいて説明する。
【００７９】
図４に示すのは、図１で示した液晶表示装置１の基本回路基板１２に、さらにソース配線群Ｃが配設されることでなる液晶表示装置８の構成を概略的に示す平面図である。
【００８０】
同図に示すように、基本回路基板１２ａには、さらにソース配線群Ｃ（ＳＣ１，ＳＣ２，…，ＳＣｎ）が配設されている（なお、図４では、図面の都合上、ソース配線群Ｃの一部を示している。）また、ソースＩＣ２１’には、さらにソース配線群Ｃが接続されている。
【００８１】
このように、基本回路基板１２ａにさらにソース配線群Ｃを配設することで、基本回路基板１２ａには、さらにソース配線群Ｃのソース配線と第１ゲート配線のゲート配線との交差部が形成される。そして交差部が増えれば、基本回路基板１２ａ上に形成される画素電極の数を増やすことができる。したがって、これによれば、連結回路基板１３側よりも基本回路基板１２ａ側でより高精細な表示を行なえる液晶表示装置を提供することができる。
【００８２】
なお、基本パネルと連結パネルとは、通常の配線板を介して連結されていてもよい。しかしながら、上述した液晶表示装置１，５，８で示したように、柔軟性を示すフレキシブルプリント配線板を用いて連結すれば、フレキシブルプリント配線板を曲げて、基本パネルと連結パネルとが表裏に配置される液晶表示装置を提供することができる。このようにして接続される液晶表示装置は、例えばクラムシェルタイプ（折りたたみ式）携帯電話に利用することができる。図１に示した液晶表示装置１をクラムシェルタイプ携帯電話に利用した場合について、図３に基づいて説明する。
【００８３】
図３は、図１に示す液晶表示装置１を用いたクラムシェルタイプ（折りたたみ式）携帯電話に利用したときの液晶表示部４０を概略的に示したものである。
【００８４】
同図に示すように、液晶表示部４０は、基本回路基板１１、連結回路基板１２のそれぞれに、液晶層を介して対向基板１１’，１２’が貼り合わされて構成される液晶表示装置１が、バックライトユニット４１と組み合わされることで構成されている。
【００８５】
液晶表示部４０では、基本パネル２および連結パネル３のそれぞれに光を入射させるための光源であるバックライトユニット４１を介して、第１液晶パネル２と第２液晶パネル３とが、バックライトユニット４１の表裏両面に配置されている。液晶表示部４０では、第１液晶パネル２は情報表示部に、また第２液晶表示部は、着信表示部として利用される。
【００８６】
このように本実施の形態にかかる液晶表示装置１を携帯電話の液晶表示部４０に用いれば、バックライト４１を１つ有するだけで、第１液晶パネル２，第２液晶パネル３それぞれに光を入射することができる。これによればバックライトの員数を削減することができ、効果的である。
【００８７】
なお、図３では、基本パネル２を携帯電話の情報表示部に、第２液晶パネル３を着信表示部に用いているが、この組み合わせに限られるものではない。また、基本パネル２を情報表示部とプッシュボタン部とに併用して使用してもよい。
【００８８】
さらに、図示しないが、図２に示した液晶表示装置５を用いて、基本パネル６をプッシュボタン部に、連結パネル７を情報表示部に、そして連結パネル８を着信表示部として、それぞれ使用してもよい。
【００８９】
本発明にかかる液晶表示装置は、次の第１液晶表示装置として表現することもできる。すなわち、上記第１液晶表示装置は、ソース配線群とゲート配線群とが互いに交差して配設されるとともに、交差部ごとに、画素電極および該画素電極に信号を供給するためのスイッチング素子が形成された回路基板を有する液晶パネルからなる第１液晶表示装置において、上記液晶パネルは、基本パネルと該基本パネルに連結される連結パネルとからなっている。
【００９０】
そして、上記基本パネルの回路基板上には、上記基本パネルおよび連結パネルそれぞれの回路基板上に配設されたソース配線群に信号を出力するソース（駆動）ＩＣが設けられており、このソースＩＣに、基本パネルおよび連結パネルそれぞれの回路基板上に配設されたソース配線群が接続されている。
【００９１】
また、上記基本パネルの回路基板上には、該基本パネルの回路基板上に配設されたゲート配線群に信号を出力する第１ゲート（駆動）ＩＣが設けられており、この第１ゲートＩＣに、基本パネルの回路基板上に配設されたゲート配線群Ａが接続されている。
【００９２】
また、上記連結パネルの回路基板上には、連結パネルの回路基板上に配設されたゲート配線群Ｂに信号を出力する第２ゲート（駆動）ＩＣが設けられており、この第２ゲートＩＣに、連結パネルの回路基板上に配設されたゲート配線群Ｂが接続されている。
【００９３】
上記基本パネルの回路基板には、上記ソースＩＣおよび第１ゲートＩＣのそれぞれに入力されるＩＣ駆動用信号が経由する第１液晶駆動用フレキシブル配線板（第１配線板）が接続されている。また、上記連結パネルの回路基板には、上記第２ゲート駆動ＩＣに入力されるＩＣ駆動用信号が経由する第２液晶駆動用フレキシブル配線板（第２配線板）が接続されている。
【００９４】
そして第１液晶表示装置において表示を行なうには、第１，第２液晶駆動用フレキシブル配線板それぞれを介して制御装置から送られてくるＩＣ駆動用信号をソースＩＣおよび第１，第２ゲートＩＣのそれぞれに入力し、ソース配線群およびゲート配線群Ａ、ゲート配線群Ｂを介して、表示信号を画素電極に送ればよい。
【００９５】
上記第１液晶表示装置によれば、連結パネルの回路基板上に設けられたゲート配線群Ｂは、連結パネルの回路基板上に設けられた第２ゲートＩＣに接続される。これによれば、ゲート配線群Ｂを連結パネルの回路基板上に配設する必要がなくなるので、基本パネルの額縁を縮小することができる。またゲート配線群Ｂと第２ゲートＩＣとの距離が短くなることで、ゲート配線群Ｂに出力される信号の電位の降下を防止することができる。なお、上記基本パネルと連結パネルとは、通常の配線板を介して連結されていてもよい。
【００９６】
さらに、上記第１液晶表示装置は、上記連結パネルを複数有するとともに、各々の連結パネルの回路基板上に第２ゲートＩＣが設けられており、各々の連結パネルの回路基板上には、第２配線板が接続されていてもよい。そして、連結パネルの回路基板上に配設されたゲート配線群Ｂは、そのゲート配線群Ｂを配設する回路基板上に設けられた第２ゲートＩＣに接続されていてもよい。
【００９７】
このような構成の液晶表示装置において表示を行なうには、第１液晶駆動用フレキシブル配線板を介して制御装置から送られてくるＩＣ駆動用信号をソースＩＣおよび第１ゲート駆動ＩＣに入力するとともに、複数の連結パネルの回路基板それぞれに接続された第２液晶駆動用フレキシブル配線板を介して制御装置から送られてくるＩＣ駆動用信号を第２ゲートＩＣに入力し、ソース配線群およびゲート配線群Ａ、ゲート配線群Ｂを介して、表示信号を画素電極に送ればよい。なお、上記複数の連結パネル同士は、中継用フレキシブル配線板を介して連結してもよく、通常の配線板を介して連結してもよい。
【００９８】
連結パネルの枚数が多くなると、ゲート駆動ＩＣに接続されるゲート配線の本数も多くなるため、ゲート駆動ＩＣの接続ピッチ幅が制限されるが、上記の構成によれば、液晶パネルの枚数の増加によってゲート配線群が増えても、ゲート配線群は、そのゲート配線群が配設されている回路基板上に設けられたゲートＩＣに接続されることになる。これによれば、連結パネルの枚数が増加しても、基本パネルや、基本パネルの回路基板と連結パネルの回路基板とを連結している中継用フレキシブル配線板を大きくする必要はないので、液晶表示装置全体の外形サイズの増加を最低限に抑えながら液晶パネルの枚数を増やすことができる。
【００９９】
〔実施の形態２〕
本発明の実施の一形態について、図６に基づいて説明すれば以下のとおりである。図６は、本実施の形態にかかる液晶表示装置４５の構成を概略的に示す平面図である。同図に示すように、液晶パネル４５は、主として、基本パネル５０と、該基本パネル５０に連結される連結パネル群６８を有している。連結パネル群６８は連結パネル５５および該連結パネル５５に連結される子連結パネル６０から構成されており、基本パネル５０と連結パネル５５とが、第１中継用フレキシブル配線板（以下、「第１フレキシブル基板」という）９２を介して連結されている。
【０１００】
基本パネル５０、連結パネル５５、子連結パネル６０は、それぞれ、通常のパネルを有する。すなわち、基本回路基板７２および連結回路基板７３、子連結回路基板７４には、それぞれソース配線群Ｄのソース配線と、第７，第８，第９ゲート配線群のゲート配線とが互いに交差して配設されるとともに、交差部ごとに、画素電極（図示せず）が形成されている。基本回路基板７２、連結回路基板７３、子連結回路基板７４のそれぞれに配設されるソース配線群およびゲート配線群の配置については後述する。
【０１０１】
基本回路基板７２には接続部８１，８２が設けられている。接続部８１は、基本回路基板７２の一端部に設けられており、接続部８２は、基本回路基板７２における接続部８１の反対側の一端部に設けられている。
【０１０２】
接続部８１は、ソース（駆動）ＩＣ８６、ゲート（駆動）ＩＣ８７および液晶駆動用フレキシブル配線板（配線板）９１が接続される領域である。
【０１０３】
接続部８２は、基本回路基板７２と連結回路基板７３とを接続する第１フレキシブル配線板９２が接続される領域である。
【０１０４】
接続部８１では、ソースＩＣ８６およびゲートＩＣ８７がそれぞれフェイスダウンボンディング接続されているとともに、液晶駆動用フレキシブル配線板９１もまた、該接続部８１に接続されている。ソースＩＣ８６、ゲートＩＣ８７は、それぞれ、異方性導電膜を介して接続されている。
【０１０５】
ソースＩＣ８６は、基本回路基板７２および連結回路基板７３、子連結回路基板７４のそれぞれに形成されたＴＦＴに、ソース配線群Ｄを介してアドレス信号を供給するためのものである。
【０１０６】
液晶駆動用フレキシブル配線板９１は、基本パネル５０の外部に設けられる制御装置（図示せず）から送られてくるＩＣ駆動用信号を、ソースＩＣ８６およびゲートＩＣ８７のそれぞれに入力する駆動用ＩＣ信号が通過する経路となり、この液晶駆動用フレキシブル配線板９１を介して、ソースＩＣ８６およびゲートＩＣ８７のそれぞれに信号が送られる。
【０１０７】
なお、図６に示すように、液晶表示装置４５では、接続部８１にソースＩＣ８６とゲートＩＣ８７とが並列するように接続されているが、これに限らず、接続部８１以外の基本回路基板７２上の領域にゲートＩＣ８７が接続されていてもよい。
【０１０８】
連結回路基板７３には接続部８３，８４が設けられている。接続部８３は、連結回路基板７３の一端部に設けられており、基本回路基板７２と連結回路基板７３とを接続する第１フレキシブル配線板９２が接続される領域である。接続部８２と接続部８３とに第１フレキシブル配線板９２が異方性導電膜を介して接続されることで、基本パネル５０と連結パネル５５とが連結されている。
【０１０９】
接続部８４は、連結回路基板７３における接続部８３の反対側の一端部に設けられている。接続部８４は、連結回路基板７３と子連結回路基板７４とを接続する第２フレキシブル配線板９３が接続される領域である。
【０１１０】
子連結回路基板７４には接続部８５が設けられている。接続部８５は、子連結回路基板７４の一端部に設けられており、連結回路基板７３と子連結回路基板７４とを接続する第２フレキシブル配線板９３が接続される領域である。接続部８４と接続部８５とに第２フレキシブル配線板９３が異方性導電膜を介して接続されることで、連結パネル５５と子連結パネル６０とが連結されている。
【０１１１】
さらに、接続部８５は、図６に示すように、子ゲート（駆動）ＩＣ２２１および子液晶駆動用フレキシブル配線板（子配線板）３３１が接続されている。
【０１１２】
子ゲートＩＣ２２１は、子連結回路基板７４に形成されたＴＦＴに、第９ゲート配線群を介してアドレス信号を供給するものである。
【０１１３】
子液晶駆動用フレキシブル配線板３３１は、外部に設けられる制御装置（図示せず）から送られてくるＩＣ駆動用信号を、子ゲートＩＣ２２１に入力する駆動用ＩＣ信号が通過する経路となり、この子液晶駆動用フレキシブル配線板３３１を介して、子ゲートＩＣ２２１に信号が送られる。
【０１１４】
次に、基本回路基板７２、連結回路基板７３のそれぞれに配設されているソース配線群およびゲート配線群の配置について説明する。
【０１１５】
本実施の形態にかかる液晶表示装置４５では、上述したように、基本回路基板７２および連結回路基板７３、子連結回路基板７４のそれぞれに、ソース配線群Ｄのソース配線と第７，第８，第９ゲート配線群のゲート配線とが互いに交差して配設されている。
【０１１６】
子連結回路基板７４には、図６に示すようにソース配線群Ｄ（ＳＤ１，ＳＤ２，…，ＳＤｎ）が配設されている。（なお、図６では、図面の都合上、ソース配線群Ｄの一部を示している。）
同図に示すように、子連結回路基板７４に配設されているソース配線群Ｄは、第２フレキシブル配線板９３、連結パネル基板７３、第１フレキシブル配線板９２、基本回路基板７２を順に経由し、接続部８１に設けられたソースＩＣ８６に接続されている。
【０１１７】
ゲート配線群は、基本回路基板７２および連結回路基板７３、子連結回路基板７４のそれぞれに配設されている。具体的には、基本回路基板７２に配設されている第７ゲート配線群（Ｇ７１，Ｇ７２，…，Ｇ７ｎ）は、基本回路基板７２に配設されているソース配線群Ｄに交差して配設されている（なお、図６では、図面の都合上、第７ゲート配線群のうち一部を示している）。そして第７ゲート配線群は、接続部８１に設けられたゲートＩＣ８７に接続されている。
【０１１８】
連結回路基板７３に配設されている第８ゲート配線群（Ｇ８１，Ｇ８２，…，Ｇ８ｎ）は、連結回路基板７３に配設されているソース配線群Ｄに交差して配設されている（なお、図６では、図面の都合上、第８ゲート配線群のうち一部を示している）。そして第８ゲート配線群は、第１フレキシブル配線板９２を経由して、接続部８１に設けられた第１ゲート駆動ＩＣ８７に接続されている。
【０１１９】
子連結回路基板７４に配設されている第９ゲート配線群（Ｇ９１，Ｇ９２，…，Ｇ９ｎ）は、子連結回路基板７４に配設されているソース配線群Ｄに交差して配設されている（なお、図６では、図面の都合上，第９ゲート配線群のうち一部を示している）。そして第９ゲート配線群は、子連結回路基板７４の接続部８５に設けられた子ゲート３３１に接続されている。
【０１２０】
このような構成の液晶表示装置４５において表示を行なうには、液晶駆動用フレキシブル配線板９１を介して制御装置（図示せず）から送られてくるＩＣ駆動用信号をソースＩＣおよび第１ゲートＩＣのそれぞれに入力し、子液晶駆動用フレキシブル配線板３３１を介して制御装置（図示せず）から送られてくるＩＣ駆動用信号を子ゲートＩＣ２２１に入力する。そして、ソース配線群Ｄおよび第７ゲート配線群、第８ゲート配線群、第９ゲート配線群を介して、表示用信号を画素電極に送ればよい。
【０１２１】
以上のように、本実施の形態にかかる液晶表示装置４５では、子連結パネル６０の子連結回路基板７４上に設けられた第９ゲート配線群は子ゲート駆動ＩＣ２２１に接続される。このように、連結パネルに子連結パネルを連結することで液晶パネルの枚数を増やせば、子連結パネルの回路基板上に設けられたゲート配線群は子ゲートＩＣに接続される。これによれば、液晶パネルの枚数が増えても、ゲート駆動ＩＣ８７に接続されるゲート配線の本数は増えることはないので、ゲートＩＣ８７の接続ピッチが、液晶パネルの枚数によって制限を受けることがなくなる。
【０１２２】
【発明の効果】
本発明の液晶表示装置は、以上のように、ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、上記液晶パネルは、基本パネルと該基本パネルに連結される連結パネルとからなり、上記基本パネルの回路基板上には、上記ソース配線群に信号を出力するソース駆動ＩＣと、上記ゲート配線群に信号を出力するゲート駆動ＩＣとが設けられており、上記基本パネルおよび連結パネルのそれぞれの回路基板上に配設されたソース配線群が上記ソース駆動ＩＣに接続されているとともに、上記基本パネルおよび連結パネルのそれぞれの回路基板上に配設されたゲート配線群が上記ゲート駆動ＩＣに接続されており、上記基本パネルの回路基板には、ソース駆動ＩＣおよびゲート駆動ＩＣのそれぞれに入力されるＩＣ駆動用信号が経由する配線板が接続されている構成である。
【０１２３】
それゆえ、基本パネルの回路基板上に配設されたソース配線群と連結パネルの回路基板上に配設されたソース配線群とは、基本パネルの回路基板上に設けられたソース駆動ＩＣに接続される。また基本パネルの回路基板上に配設されたゲート配線群と連結パネルの回路基板上に配設されたゲート配線群とは、基本パネルの回路基板上に設けられたゲート駆動ＩＣに接続される。これによれば、ソース駆動ＩＣとゲート駆動ＩＣとが基本パネル内に設けられているので、液晶パネルのパネル外形やモジュール外形の制約により、ソース駆動ＩＣやゲート駆動ＩＣの接続ピッチ幅が制限されることはない。したがって基本パネルや連結パネルの回路基板に配設されるソース配線群のソース配線の本数を増やしても、これらのソース配線はソース駆動ＩＣに効率よく接続される。また、基本パネルや連結パネルの回路基板に配設されるゲート配線群のゲート配線の本数を増やしても、これらのゲート配線はゲート駆動ＩＣに効率よく接続される。したがって、これによれば、ソース配線群やゲート配線群の配線の本数を増やすことで、駆動される画素電極を増やすことができる。したがって高精細な表示を実現することができる。
【０１２４】
また上記の構成によれば、ソース駆動ＩＣおよびゲート駆動ＩＣのそれぞれが設けられている基本パネルの回路基板には、配線板だけが接続されている。これによれば接続箇所が減るので、その結果、接続ピン数を減らすことができるという効果を奏する。
【０１２５】
本発明の液晶表示装置は、以上のように、上記基本パネルの回路基板上に配設されたソース配線群は、上記連結パネルの回路基板上に配設されたソース配線群よりもソース配線の本数が多い構成である。
【０１２６】
それゆえ、基本パネルの回路基板上に配設されたソース配線群のソース配線の本数を、連結パネルの回路基板上に配設されたソース配線群のソース配線の本数よりも多くすることで、基本パネルの回路基板上には、より多くのソース配線群のソース配線とゲート配線群のゲート配線との交差部が形成される。そして交差部が増えれば、基本パネルの回路基板上に形成される画素電極の数を増やすことができる。したがって、これによれば、連結パネル側よりも、基本パネル側でより高精細な表示を行なえる液晶表示装置を提供することができるという効果を奏する。
【０１２７】
本発明の液晶表示装置は、以上のように、上記連結パネルは、フレキシブルプリント配線板を介して上記基本パネルに連結されている構成である。
【０１２８】
それゆえ、柔軟性のあるフレキシブルプリント配線板を介して連結パネルが基本パネルに連結されることで、フレキシブルプリント配線板を曲げて基本パネルと連結パネルとが表裏に配置される液晶表示装置を提供することができるという効果を奏する。
【０１２９】
本発明の液晶表示装置は、以上のように、上記連結パネルを複数有する構成である。
【０１３０】
それゆえ、連結パネルを複数有することで、複数の液晶パネルを用いて表示を行なえる液晶表示装置を提供することができるという効果を奏する。
【０１３１】
本発明の液晶表示装置は、以上のように、さらに上記連結パネルに子連結パネルが連結されており、該子連結パネルの回路基板上には該子連結パネルの回路基板上に配設されたゲート配線群に信号を出力する子ゲート駆動ＩＣが設けられており、上記子連結パネルの回路基板上に配設されたゲート配線群が上記子ゲート駆動ＩＣに接続されており、上記子連結パネルの回路基板には、子ゲート駆動ＩＣに入力されるＩＣ駆動用信号が経由する子配線板が接続されている構成である。
【０１３２】
それゆえ、ゲート駆動ＩＣの接続ピッチ幅が、液晶パネルの枚数の増加によって制限を受けることがなくなるという効果を奏する。
【０１３３】
本発明の液晶表示装置は、以上のように、ソース配線群とゲート配線群とが互いに交差して配設されるとともに、交差部ごとに、画素電極および該画素電極に信号を供給するためのスイッチング素子が形成された回路基板を有する液晶パネルからなる液晶表示装置において、上記液晶パネルは、基本パネルと該基本パネルに連結される連結パネルとからなり、上記基本パネルおよび連結パネルそれぞれの回路基板上に配設されたソース配線群は該ソース配線群に信号を出力するソース駆動ＩＣに接続され、上記基本パネルの回路基板上に配設されたゲート配線群Ａは該第１ゲート配線群Ａに信号を出力する第１ゲート駆動ＩＣに接続され、上記連結パネルの回路基板上に配設されたゲート配線群Ｂは該ゲート配線群Ｂに信号を出力する第２ゲート駆動ＩＣに接続され、上記ソース駆動ＩＣおよび第１ゲート駆動ＩＣは基本パネルの回路基板上に設けられ、上記第２ゲート駆動ＩＣは連結パネルの回路基板上に設けられ、上記基本パネルの回路基板には、上記ソース駆動ＩＣおよび第１ゲート駆動ＩＣのそれぞれに入力されるＩＣ駆動用信号が経由する第１配線板が接続され、上記連結パネルの回路基板には、上記第２ゲート駆動ＩＣに入力されるＩＣ駆動用信号が経由する第２配線板が接続されている構成である。
【０１３４】
それゆえ、連結パネルの回路基板上に配設されたゲート配線群を基本パネルの回路基板上に配設する必要がなくなるので、基本パネルの額縁を縮小することができる。またゲート配線群Ｂと第２ゲート駆動ＩＣとの距離が短くなることで、ゲート配線群Ｂに出力される信号の電位の降下を防止できるという効果を奏する。
【０１３５】
また連結パネルの回路基板上に第２ゲート駆動ＩＣを設けることで、連結パネルの回路基板上に配設されるゲート配線の本数が制限されることがなくなる。したがって、連結パネルの回路基板上に配設されるゲート配線の本数を増やせば、連結パネルの回路基板上に形成される画素電極の数を減少させることなく、連結回路基板上に配設されるソース配線群のソース配線の本数を減らすことができるという効果を奏する。
【０１３６】
本発明の液晶表示装置は、以上のように、上記連結パネルを複数有するとともに、各々の連結パネルの回路基板上に第２ゲート駆動ＩＣが設けられているとともに各々の連結パネルの回路基板には、第２配線板が接続されており、連結パネルの回路基板上に配設されたゲート配線群Ｂは、そのゲート配線群Ｂを配設する回路基板上に設けられた第２ゲート駆動ＩＣに接続されている構成である。
【０１３７】
それゆえ、液晶パネルの枚数の増加によってゲート配線群が増えても、基本パネルや、基本パネルの回路基板と連結パネルの回路基板とを連結している配線板を大きくする必要がなくなるので、液晶表示装置全体の外形サイズを最低限に抑えながら液晶パネルの枚数を増やすことができるという効果を奏する。
【０１３８】
本発明の液晶表示装置は、以上のように、基本パネルと連結パネル、あるいは連結パネルと連結パネルとがフレキシブルプリント配線板を介して連結されている構成である。
【図面の簡単な説明】
【図１】本発明の一実施形態にかかる液晶表示装置を概略的に示す平面図である。
【図２】本発明の他の実施形態にかかる液晶表示装置を概略的に示す平面図である。
【図３】図１に示す液晶表示装置を用いたクラムシェルタイプの携帯電話の構成を概略的に示す図である。
【図４】本発明のさらに他の実施形態にかかる液晶表示装置を概略的に示す平面図である。
【図５】従来の液晶表示装置の構成を概略的に示す平面図である。
【図６】本発明のさらに他の実施形態にかかる液晶表示装置を概略的に示す平面図である。
【符号の説明】
１        液晶表示装置
２        基本パネル
３        連結パネル
７        連結パネル
８        連結パネル
１２      基本回路基板
１２ａ    基本回路基板
１３      連結回路基板
１７      連結回路基板
１８      連結回路基板
２１      ソース駆動ＩＣ
２２      ゲート駆動ＩＣ
２３      ソース駆動ＩＣ
２４      ゲート駆動ＩＣ
３１      液晶駆動用フレキシブル配線板
３２      第１中継用フレキシブル配線板
６０      子連結パネル
７４      子連結回路基板
２２１    子ゲート駆動ＩＣ
３３１    子液晶駆動用フレキシブル配線板
【図１】
2004157495.tif 000003
【図２】
2004157495.tif 000004
【図３】
2004157495.tif 000005
【図４】
2004157495.tif 000006
【図５】
2004157495.tif 000007
【図６】
2004157495.tif 000008